(57)【要約】【課題】小型化と薄型化を達成しつつ強度性を持ってＹシャツの胸ポケットやＧパンの臀部ポケットなどに円滑に収容且つ取出ができるとともに、小型化を図っても操作性のよい電子カメラの提供。【解決手段】カメラ筐体の長辺側頂壁の操作部側に撮影釦を、又撮像部側にレンズ窓部をそれぞれ配設し、一方前記分割線は、回転軸線に直交する第１の分割線と、レンズ窓側を操作部側に延在させた膨出部として機能する第２の分割線とが連接して形成するとともに、前記操作部側に位置する矩形状の画像表示面を、前記膨出部の第２の分割線側端を超えて該第２の分割線下方で且つ第１の分割線に隣接する位置まで延在して偏在配置し、前記第２の分割線により凹設され前記膨出部が隣接する画像表示面上方区域に撮像制御用操作釦が配置されている。【選択図】      図１
2005079871.tif 000002
【特許請求の範囲】
【請求項１】
薄型略長方形状の電子カメラ筐体を第１の筐体と第２の筐体とで構成し、前記第１の筐体は前記電子カメラ筐体の一長辺側且つ前記第２の筐体方向に筐体の一部を膨出する膨出部を備えると共に、前記第２の筐体は前記膨出部に対応する位置に凹部を備え、前記第１の筐体と前記第２の筐体の分割線を第１の分割線と、該第１の分割線と連続し且つ前記膨出部に対応する第２の分割線とで形成した電子カメラであって、
前記第１の筐体は、撮影用レンズ機構を収納すると共にレンズ窓部を配設する撮像部筐体であり、前記第２の筐体は、表示装置を収納すると共に撮影釦を配設する操作部筐体であって、前記操作部筐体と前記撮像部筐体とをヒンジ機構にて回動自在に連結し、
前記ヒンジ機構による回動位置が所定回動位置の際に、前記操作部筐体と前記撮像部筐体が組み合わさった状態にて前記薄型略長方形状の電子カメラ筐体を構成し、
前記一長辺側の頂壁の前記操作部筐体側に前記撮影釦を、前記一長辺側の頂壁の前記撮像部筐体側に前記レンズ窓部を配し、
前記操作部筐体の広域面側であって、前記一長辺側と対向する他の長辺側に隣接し、前記第１の分割線に隣接し、且つ、前記第２の分割線の位置よりも前記他の長辺側に前記表示装置を配置したことを特徴とする電子カメラ。
【請求項２】
前記操作部筐体において、前記電子カメラの各種モードを選択するモードセレクト釦を前記表示装置の前記一長辺側と平行な一辺に近接配置すると共に、電子カメラのズームを操作するズーム釦を前記広域面であって前記撮影釦に近接配置したことを特徴とする請求項１に記載の電子カメラ。
【請求項３】
前記操作部筐体において、前記各種モードを選択決定する十字キーを前記広域面であって前記表示装置と近接し且つ前記他の長辺側に隣接して配置することにより、操作者の人差指にて前記撮影釦を操作し、親指にて前記ズーム釦、モードセレクト釦及び十字キーを操作可能にしたことを特徴とする請求項２に記載の電子カメラ。
【請求項４】
前記一長辺側の頂壁における前記第２の分割線の端部が、前記電子カメラ筐体の長辺を略二等分する位置に相当し、前記撮像部筐体の前記一長辺側の頂壁に前記レンズ窓部と隣接してストロボ発光窓部を配設したことを特徴とする請求項１乃至３の何れかに記載の電子カメラ。
【請求項５】
前記ヒンジ機構の回動軸線を前記電子カメラ筐体の短辺の略中央より前記他の長辺側に偏在させたことを特徴とする請求項１乃至４の何れかに記載の電子カメラ。
【発明の詳細な説明】
【技術分野】
【０００１】
本発明は、電子カメラに関し、特に薄型、軽量に構成した電子カメラに関する。
【背景技術】
【０００２】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにも関わらず従来のフィルムよりも小さく、それによってカメラ自体を小型に構成できるという利点がある。
【０００３】
そのため例えば、Ｙシャツの胸ポケットやＧパンの臀部ポケットなどに収容できる薄さと強度を持ち、そういったところやハンドバックなどに収容しても違和感を感じさせない軽さで、しかも高倍率のズーム機構を備えた電子カメラの出現が望まれている。
【０００４】
しかしながらズームレンズは、通常複数のレンズ群で構成され、しかも、そのうちのいくつかのレンズ群を進退させることで所望の焦点距離を得るようにしている。そのため、旧来のフィルムを使用したカメラのようにカメラ本体から撮影レンズを突出させるようにした方式では、撮影時以外はレンズを本体内に収納する沈胴式にしたとしても、レンズ枚数の多さとレンズ群を前後させる機構の存在で、カメラ本体を一定以下の厚さにするのは困難である。
【０００５】
そのため特許文献１に示されているように、画像表示面を有した操作部にヒンジ機構などの回転機構で回転可能に接続した撮像部に、撮影レンズと発光装置などを配して撮影レンズを被写体方向に向けられるようにし、しかも、画像表示面は撮影者の方に向けるようにしたカメラが提案されている。このように電子カメラを構成すると、例えば撮影者（自分）を撮影したいという場合や、地面近傍の被写体を撮影する場合でも、撮像部を被写体に向けながら画像表示面を常時確認することが可能となる。
【特許文献１】特許２９３１９０７号公報
【発明の開示】
【発明が解決しようとする課題】
【０００６】
しかしながら、前記従来技術においては、画像表示面を大きくするために、操作部をカメラ筐体の全体構成として大きくするとともに、操作部の前面側に撮像部収納凹部を設け、該凹部内に回動自在に撮像部が収納可能に構成しているために、小型化は達成されるが、カメラ筐体全体が厚肉化してＹシャツの胸ポケットやＧパンの臀部ポケットなどに収容できる薄さにはならない。
又、このため撮影用レンズ機構を有した撮像部と、画像表示面とともに撮像及び画像表示用各種操作釦が配設された操作部が組み合わさった状態で、前記電子カメラ筐体を薄型略長方形状に形成し、該カメラ筐体の長辺側頂壁の操作部側に撮影釦を、又撮像部側にレンズ窓部をそれぞれ配設してなる電子カメラにおいて、前記撮像部と操作部間の分割線を、筐体長辺と直交する短辺に平行に分割した電子カメラも存在する。
しかしながらこのように構成すると、撮像部と操作部で短辺方向に２分割する構成を取るために、操作部側の画像表示面が小さくなりやすい。
【０００７】
又このような構成で薄型化すると強度的に大きく低下するのみならず、画像表示面側に位置する操作釦の配置スペースを取るのが極めて困難となり、操作性が大幅に低下する。
従って、本発明はかかる従来技術の問題に鑑み、小型化と薄型化を達成しつつ強度性を持ってＹシャツの胸ポケットやＧパンの臀部ポケットなどに円滑に収容且つ取出のできる電子カメラの提供を目的とする。
【課題を解決するための手段】
【０００８】
そこで、本発明はかかる課題を解決するために、薄型略長方形状の電子カメラ筐体を第１の筐体と第２の筐体とで構成し、前記第１の筐体は前記電子カメラ筐体の一長辺側且つ前記第２の筐体方向に筐体の一部を膨出する膨出部を備えると共に、前記第２の筐体は前記膨出部に対応する位置に凹部を備え、前記第１の筐体と前記第２の筐体の分割線を第１の分割線と、該第１の分割線と連続し且つ前記膨出部に対応する第２の分割線とで形成した電子カメラであって、
前記第１の筐体は、撮影用レンズ機構を収納すると共にレンズ窓部を配設する撮像部筐体であり、前記第２の筐体は、表示装置を収納すると共に撮影釦を配設する操作部筐体であって、前記操作部筐体と前記撮像部筐体とをヒンジ機構にて回動自在に連結し、
前記ヒンジ機構による回動位置が所定回動位置の際に、前記操作部筐体と前記撮像部筐体が組み合わさった状態にて前記薄型略長方形状の電子カメラ筐体を構成し、
前記一長辺側の頂壁の前記操作部筐体側に前記撮影釦を、前記一長辺側の頂壁の前記撮像部筐体側に前記レンズ窓部を配し、
前記操作部筐体の広域面側であって、前記一長辺側と対向する他の長辺側に隣接し、前記第１の分割線に隣接し、且つ、前記第２の分割線の位置よりも前記他の長辺側に前記表示装置を配置したことを特徴とする。
【０００９】
又、前記操作部筐体において、前記電子カメラの各種モードを選択するモードセレクト釦を前記表示装置の前記一長辺側と平行な一辺に近接配置すると共に、電子カメラのズームを操作するズーム釦を前記広域面であって前記撮影釦に近接配置したことを特徴とし、このとき、前記操作部筐体において、前記各種モードを選択決定する十字キーを前記広域面であって前記表示装置と近接し且つ前記他の長辺側に隣接して配置することにより、操作者の人差指にて前記撮影釦を操作し、親指にて前記ズーム釦、モードセレクト釦及び十字キーを操作可能にすることが好適である。
【００１０】
更に、前記一長辺側の頂壁における前記第２の分割線の端部が、前記電子カメラ筐体の長辺を略二等分する位置に相当し、前記撮像部筐体の前記一長辺側の頂壁に前記レンズ窓部と隣接してストロボ発光窓部を配設したことを特徴とし、更に又、前記ヒンジ機構の回動軸線を前記電子カメラ筐体の短辺の略中央より前記他の長辺側に偏在させることが好ましい。
【発明の効果】
【００１１】
かかる発明によれば、右手で操作部をホールドし、左手の人差し指と中指で撮像部の膨出部を挟んで被写体方向に向けることができ、撮影に際して確実にホールドできると共に使い勝手の良い電子カメラを提供することができる。
又本発明によれば、図４に示すように左手の人差し指と中指で被写体に向けて左手の手首動作で撮像部を回動操作させながら、右手の指で操作部を持ちながら右手首を固定して操作部を位置決めして表示部を視認することができる。
【発明を実施するための最良の形態】
【００１２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１３】
図１は電子カメラの一実施形態の全体図、図２は電子カメラのレンズを被写体方向に向けた撮影状態を示した図、図３は電子カメラのレンズをカメラ操作者（自分）方向に向けた撮影状態を示した図、図４は電子カメラのレンズを被写体方向に向けた撮影するときのカメラのホールド状態を示した図である。
【００１４】
電子カメラ１００は、撮影用レンズ機構を内蔵した撮像部１０１と、画像表示面１０５とともに撮像及び画像表示用各種操作釦１０６〜１１３が配設された操作部が組み合わさった状態で、前記電子カメラ筐体を薄型略長方形状に形成し、該カメラ筐体の長辺側頂壁の操作部側に撮影釦１０６を、又撮像部側にレンズ窓部１０３をそれぞれ配設している。
又前記撮像部１０１と操作部１０２間の分割線１５６を、カメラの筐体長辺と平行な回転軸線１５０に沿って回転可能に形成するとともに、撮像部１０１側の回転軸線１５０とレンズ窓部１０３間の前記筐体広域面上に回転軸線１５０と平行にリブ状突起１５１を延在させるとともに、該操作部側１０２の表示面１０５が位置する広域面に設けた操作釦１０８、１０９、１１０、１１２、１１３のそれぞれの高さを前記表示面１０５形成面以上であってリブ状突起１５１高さ以下に設定する。
【００１５】
そして前記分割線１５６は、回転軸線１５０を直交する第１の分割線１５６Ａと、レンズ窓側１０３を操作部１０２側に延在させた膨出部１５３として機能する第２の分割線１５６Ｂとが連接して形成するとともに、撮像部１０１の撮影レンズ窓部１０３側の端から発光窓部１０４用の窓側の端までの膨出部１５３長さを、例えば左手人差し指の先端から第２関節近辺までの長さとし、かつその膨出部１５３の厚さを、略人差し指の厚さとして且つその分割線１５６ＢにＲを付けて撮像部１０１と操作部１０２が筐体短辺と平行に回動可能に構成してある。
又前記操作部１０２側に位置する矩形状の画像表示面１０５を、前記膨出部１５３の第２の分割線１５６Ｂ側端を超えて該第２の分割線１５６Ｂ下方で且つ第１の分割線１５６Ａに隣接する位置まで延在して偏在配置する。このようにすることで、操作部１０２における表示装置１０５の上方と右側に操作釦類を配置するためのスペースを作ることができ、小型でありながら、操作性の良い電子カメラを構成することができる。
【００１６】
すなわち、前記画像表示面１０５上方で第２の分割線１５６Ｂにより凹設された撮像部１０１の膨出部１５３に隣接する区域に光学系ズーミングを指示するズーム操作釦１０９、表示画面の表示内容と照明のオン、オフを切り替えるディスプレイ釦１１１、表示画面の表示内容をシーンセレクト選択画面に切り替えるシーン釦１１２、絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦１１３が配置され、又表示部右側下方には、撮像時には不要なカメラモードメニューのオン、オフを切り替えるメニュー釦１１０，十字キーと決定キーで構成され、表示装置１０５に表示された機能や項目を選択するための選択決定キー１０８が配設され、再生時と撮像時に必要なキーを振り分けるとともに、選択決定キー１０８とズーム操作釦１０９の間は、大きく開けて撮像時に親指が保持可能な親指置きスペース１２０を形成し、その部分にスピーカ孔１１４とマイク１１９を配置している。該親指置きスペース１２０を設けることで、撮像時に他の操作釦に触れて誤操作することを防止できる。
又前記カメラ筐体長辺側頂壁の前記第２の分割線１５６Ｂの開口端は、筐体長辺のほぼ二等分位置に振り分ける位置に形成し、撮像部側頂壁にレンズ窓部１０３とともにストロボ発光窓部１０４を配設するとともに、前記撮像部１０１を回動させる回転軸線１５０は、長方形状カメラ筐体の短辺中央線より下方に位置させている。
【００１７】
そして前記電子カメラ１００は、図１乃至３に示したように、操作部１０２側に画像表示面１０５と一般的な撮影用操作釦類１０６乃至１１３を配し、この操作部１０２にヒンジ機構４０５で回転可能に接続された撮像部１０１の一端側には、撮影レンズ窓部１０３、その操作部１０２側に発光窓部１０４を配してある。そしてこの撮像部１０１の内部には、撮影レンズ窓部１０３の背後に撮影用ズームレンズが、そしてその隣に、ズームレンズを構成するレンズ群を進退させるためのカム機構が配され、これらズームレンズとカム機構の奥側、すなわち撮影レンズ窓部１０３と逆側に発光装置用コンデンサなどの電装部品が配されている（いずれも不図示）。
そして操作部１０２における撮影用操作釦類１０６乃至１１３は、Ｙシャツの胸ポケットやＧパンの臀部ポケットなどに収容した場合でも引っかかりや違和感を感じさせないように、操作部１０２の外カバーの平面から突出しないように設けられ、さらに、撮影釦１０６はカメラ１００を右手で保持したときに人差し指で操作可能とし、ズーム操作釦１０９、選択決定キー１０８、メニュー釦１１０、モードセレクト釦１１３などは、同じく右手でカメラ１００を保持したとき、親指の届く範囲に配置して操作性を高めてある。
【００１８】
又電子カメラ１００は、画像表示面１０５を常時視認できるよう撮影者の方に向けたまま、図２に示したように撮像部１０１を被写体の方に向けたり、図３に示したように逆に回転させて撮影レンズ窓部１０３がカメラ操作者（自分）の方を向くようにし、自分撮りもできるようになっている。
また前記電子カメラ１００は、撮像部１０１の撮影レンズ窓部１０３側の端から発光窓部１０４側の端までの長さＬ１（図３）を、例えば左手人差し指の先端から第２関節近辺までの長さとし、かつ、撮像部１０１における撮影レンズ窓部１０３とは逆側の長さをＬ２（図３）としたとき、発光窓部１０４部分の（Ｌ１−Ｌ２）に相当する部位の光軸方向厚さＬ３（図３）を、略人差し指の厚さとしてＲを付けて操作部１０２側に張り出して構成してある。
【００１９】
このようにすることで、操作部１０２における画像表示面１０５の右側に操作釦類を配置するためのスペースを作ることができ、小型でありながら、操作性の良い電子カメラを構成することができる。また撮影レンズ窓部１０３からヒンジ機構４０５の回転中心までの距離は、ヒンジ機構４０５の回転中心から撮影レンズ窓部１０３とは逆側の端までの距離より大きくとってある。
これに伴い、撮影レンズ窓部１０３をユーザ自身に向け撮影を行なった場合、表示装置１０５の表示画面から撮影レンズ窓部１０３までの距離が長くなる。従って、ユーザが表示装置１０５をユーザの視認方向に対して傾けて視認し、表示画面を撮影レンズ窓１０３と表示画面との間の隙間から見た場合、表示画面から撮影レンズ窓部部１０３までの距離が長いので、前記隙間も長くなり、表示画面全体を良好に視認できる。
【００２０】
そしてこの電子カメラ１００を使うときは、電源釦１０７を押下することで電源がオンとなるから、前記したように親指で各操作釦を操作し、モードセレクト釦１１３によって絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択する。そして必要に応じ、メニュー釦１１０を押下して画像表示面１０５に例えば画像のサイズ、撮影感度、測光方式などの各種メニューを表示させ、十字キーと決定キーで構成された選択決定キー１０８の十字キーで項目を選択し、中央の決定釦で決定する。
【００２１】
そして、図２に示したように被写体の方に撮影レンズ窓部１０３を向けて撮影するときは、図４に示したように右手で操作部１０２側をホールドし、例えば左手の人差し指と中指で撮像部１０１のＬ１（図３）の長さを有するＬ３（図３）の部分を挟んで撮影レンズ窓部１０３を被写体に向ける。そして、画像表示面１０５に映し出された被写体を見ながら右手親指で撮像部１０１のズーム操作釦１０９を操作し、所定の倍率を選択して構図を決定した後、右手人差し指で撮影釦１０６を押下することで自動的にピントと露出が決定され、内蔵されたＣＣＤなどの撮像素子によって撮影された画像を内蔵されたメモリに記録するようになっている。
このようにして撮影を行なうことにより、前記したように撮像部１０１における撮影レンズ窓部１０３からヒンジ機構４０５の回転中心までの距離は、ヒンジ機構の回転中心から撮影レンズ窓部１０３とは逆側の端までの距離より大きくとってあるから、レンズ部が大きく回り、撮像部１０１を素早く被写体に向けられると共に、カメラ１００をしっかりホールドすることができる。
【００２２】
こうして撮影が済んだら、モードセレクト釦１１３を操作して再生モードにすると、メモリに蓄えられた画像が画像表示面１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００２３】
このように、電子カメラ１００の操作部１０２における撮影釦１０６を操作部１０２を保持した人差し指で押圧できる位置に配すると共に、他の操作釦類、例えばズーム操作釦１０９、モードセレクト釦１１３、メニュー釦１１０、十字キー１０８、ディスプレイ釦１１１、シーン釦１１２を、操作部１０２を保持した親指の到達範囲内に配したことにより、片手で全ての撮影操作が可能となって操作性の良い電子カメラ１００を提供することができる。また、電子カメラ１００は、図３において、操作部１０２の長さＬ３に相当する領域に、操作釦を略集約して配置し、他の領域に画像表示面１０５を配置したことにより、操作部１０２の形状をより有効に利用した無駄のない部品配置が可能となり、電子カメラ１００の小型化、薄型化に寄与している。
【００２４】
また、撮像部１０１におけるレンズ窓部１０３の操作部側に発光窓部１０４を配すると共に発光窓部１０４の収容部下部をレンズ窓部１０３側より細く構成したことにより、操作部１０２側は撮像部１０１を細く構成した分全体の大きさを変えずに幅方向の余裕ができる。そのため、操作部１０２における画像表示面１０５を撮像部１０１側に配置することにより、画像表示面１０５の撮像部１０１とは逆側に余裕ができるから、親指で操作できる範囲に操作釦類を配置することができ、操作部１０２を右手で保持したとき、使い勝手の良い電子カメラを提供することができる。
【００２５】
また、前記撮像部１０１における前記発光窓部１０４を配した部分の光軸方向厚さを略指の厚さとすると共に、前記レンズ窓部１０３側端から発光窓部１０４側端までの長さを略指の先端から第２関節近辺に相当する量とし、前記指の厚さとした部分を指２本で挟んで回転できるようにしたことにより、電子カメラ１００は右手で操作部１０２をホールドし、左手の人差し指と中指で発光装置収容部を挟んで被写体方向に向けることができ、撮影に際してしっかりホールドできると共に使い勝手の良い電子カメラを提供することができる。
【産業上の利用可能性】
【００２６】
本実施形態は、電子カメラ、カメラ付携帯電話、ＰＤＡなど、回動を伴う薄型機器に用いることができる。
又本実施形態において、前記分割線は、回転軸線に直交する第１の分割線と、レンズ窓側を操作部側に延在させた膨出部として機能する第２の分割線とが連接して形成されているために、電子カメラ全体を小型化しても被写体と対面するレンズ窓側の撮像部側が操作部側に延在して膨出部として機能させることができ、本実施形態の電子カメラは右手で操作部をホールドし、左手の人差し指と中指で撮像部の膨出部を挟んで被写体方向に向けることができ、撮影に際して確実にホールドできると共に使い勝手の良い電子カメラを提供することができる。
又本実施形態によれば、前記撮像部と操作部間の分割線を、筐体長辺と平行な回転軸線に沿って回転可能に形成したために、図４に示すように左手の人差し指と中指で被写体に向けて左手の手首動作で撮像部を回動操作させながら、右手の指で操作部を持ちながら右手首を固定して操作部を位置決めして表示部を視認することができる。結果として手首と指の操作が相対的に直交する方向であるために、両者の動作が極めてスムーズであり、更に手首の動作を行う撮像部と操作部は、長方形状の筐体の左右に分かれており、さらに前記筐体長辺を基準とした左右分割であるために、カメラ自体を小型にしても例えばＹシャツやズボンの後ポケットに対応させて、定期入れとほぼ同サイズの長辺が９０〜１１０mm、短辺が５５〜７００mm厚みが１０〜１８mm程度に設定しても、撮像部を左手に、操作部を右手に保持したとき、親指を利用して簡単にズーム操作も可能であるために、使い勝手の良い電子カメラを提供することができる。
【００２７】
又前記撮像部側は膨出部によってレンズ窓側を操作部側に膨出することにより、小型化を図っても撮像部側頂壁にレンズ窓部とともに発光窓部を配設するスペースの形成が可能となる。
一方前記膨出部下方の操作部側は、前記膨出部の第２の分割線側端を超えて該第２の分割線下方で且つ第１の分割線に隣接する位置まで延在して偏在配置させることができるために、画像表示部を大きくすることができるとともに、画像表示面の撮像部とは逆側に余裕ができるから、前記第２の分割線により凹設され前記膨出部が隣接する画像表示面上方区域の親指で操作できる範囲に操作釦類を配置することができ、操作部を右手で保持したとき、使い勝手の良い電子カメラを提供することができる。
【００２８】
具体的にはカメラ筐体の長辺側頂壁の操作部側に撮像シャッタ釦を、又前記画像表示面上方区域にズーム操作釦等の撮像制御用操作釦が配置されているために、操作部側は、人差し指で撮像シャッタ釦を押圧可能に配置し、且つ親指は光学系ズーミングを指示するズーム操作釦、表示画面の表示内容と照明のオン、オフを切り替えるディスプレイ釦、表示画面の表示内容をシーンセレクト選択画面に切り替えるシーン釦、絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦等を押圧しながら緻密な撮像制御が可能となる。
更に前記カメラ筐体長辺側頂壁の前記第２の分割線の開口端を筐体長辺のほぼ二等分位置に振り分けて形成したために、撮像部側頂壁にレンズ窓部とともにストロボ発光窓部を配設するスペースが確保できる。
更に前記回転軸線を長方形状カメラ筐体の短辺中央線より下方に位置させたために、カメラを小型化してもレンズ窓側には余裕を持った配置空間の形成が可能である。
【図面の簡単な説明】
【００２９】
【図１】本発明になる電子カメラの一実施形態の全体図である。
【図２】本発明になる電子カメラのレンズを被写体方向に向けた撮影状態を示した図である。
【図３】本発明になる電子カメラのレンズをカメラ操作者（自分）方向に向けた撮影状態を示した図である。
【図４】本発明になる電子カメラのレンズを被写体方向に向けた撮影するときのカメラのホールド状態を示した図である。
【符号の説明】
【００３０】
１００  電子カメラ
１０１  撮像部
１０２  操作部
１０３  レンズ窓部
１０４  ストロボ発光窓部
１０５  画像表示面
１０６  撮影釦
１０７  電源釦
１０８  選択決定キー
１０９  ズーム操作釦
１１０  メニュー釦
１１１  ディスプレイ釦
１１２  シーン釦
１１３  モードセレクト釦
１５０  回転軸線
１５３  膨出部
１５６  分割線
１５６Ａ  第一の分割線
１５６Ｂ  第二の分割線
【図１】
2005079871.tif 000003
【図２】
2005079871.tif 000004
【図３】
2005079871.tif 000005
【図４】
2005079871.tif 000006